(57)【特許請求の範囲】
【請求項１】
同一構造に構成した上下一対の支持台が相対向した状態で接合でき、これ等両支持台間に形成される断面形状が円形の抱持部によりケーブル布設管を支持できるように構成すると共に、これら上下一対の支持台の上下左右には、同一構造に構成した他の支持台を順次連結可能に構成したケーブル布設管用支持台であって、
半円断面形の円弧面部が上記の各支持台上に設けられ、その各支持台の左右両側面部の一方の側面部に雌嵌合部が、他方の側面部に雄嵌合部が、また各支持台の底部に雌嵌合部と雄嵌合部がそれぞれ奥行き方向に向かって設けられており、これら各支持台の雌嵌合部と雄嵌合部同士は、奥行き方向から互いに摺動可能に嵌め込みができるように構成し、且つ、これ等各雌嵌合部と各雄嵌合部には、相対応して係合縁がそれぞれ設けられていると共に、上記雌雄両嵌合部が嵌合した時の接合面部には、雄嵌合部側の接合面部においては中央に穿設されている係止口の両側から前後の各端縁に至る傾斜面部が該係止口の口径とほぼ同幅で次第に肉薄くした状態でそれぞれ設けられている一方、雌嵌合部側の接合面部においては上記係止口に係入できる膨出部が中央に設けられていることを特徴とするケーブル布設管用支持台。
【発明の詳細な説明】
【０００１】
【発明の属する技術分野】
本発明は通信ケーブル等が集束して収容されている布設管を直埋するときに用いるケーブル布設管用支持台に関する。
【０００２】
【従来の技術】
従来のケーブル布設管用支持台は、図５に示すように同一構造である上下一対の支持台（上側の支持台は仮想線により示す）１，１が相対向した状態で接合できて、両支持台１，１間に形成される断面形状が円形の抱持部２によりケーブル布設管（図示せず）を支持できるように構成されいる。そして、支持台１は合成樹脂製の型物成形品であり、上記一対の支持台１，１の上下左右には他の同一構造の支持台を順次連結することが可能であって、ケーブル布設管の複数個を上下左右に並行させて整然と支持することができる。
【０００３】
なお、上記両支持台１，１の接合を保持する手段として、互いに嵌合可能である軸３と穴４が両者の接合部にそれぞれ設けられている。また、相対向した状態で接合している一対の支持台１，１の上下左右に他の支持台を連結するには、支持台１の左右両側面部１ａ，１ｂの一方の側面部（図面上は左）１ａに設けられている雌嵌合部５と、他方の側面部（図面上は右）１ｂに設けられている雄嵌合部６及び支持台１の底部１ｃに間隔を置いて設けられている雌雄一対の嵌合部７，８により果たされる。雌嵌合部５，７と雄嵌合部６，８は支持台１の奥行き方向に向かって設けられていると共に、これらの雌嵌合部５，７と雄嵌合部６，８には相対応して係合縁５ａ，７ａ，６ａ，８ａがそれぞれ設けられている。
【０００４】
【発明が解決しようとする課題】
この構造によれば、支持台１，１同士は連結される上下左右方向への動きは係合縁５ａ，６ａ，７ａ，８ａによって防止され、雌嵌合部５，７と雄嵌合部６，８による嵌合が外れるという不具合は起こらないが、これらの嵌合部には雌嵌合部５，７に嵌め込まれた雄嵌合部６，８の必要以上の移動を防止する手段が講じられていないため、施工中に支持台１同士が相対的に摺動して外れてしまうことが往々にしてあった。その対策としては接着剤や止めねじを用いて嵌合後固定する方法が知られているが、これは手間がかかるという問題があって、作業員が後から手直しているのが現状である。
【０００５】
本発明はこのような問題を解決したものであって、その目的は、雌雄の嵌合部に施された自動係止機能によって、接着剤や止めねじによる固定作業を必要とせずに支持台同士の連結が正しく容易にできるように改良したケーブル布設管用支持台を提供することにある。
【０００６】
【課題を解決するための手段】
上記目的を達成するために、本発明の特徴とするケーブル布設管用支持台は、同一構造に構成した上下一対の支持台が相対向した状態で接合でき、これ等両支持台間に形成される断面形状が円形の抱持部によりケーブル布設管を支持できるように構成すると共に、これら上下一対の支持台の上下左右には、同一構造に構成した他の支持台を順次連結可能に構成したケーブル布設管用支持台であって、
半円断面形の円弧面部が上記の各支持台上に設けられ、その各支持台の左右両側面部の一方の側面部に雌嵌合部が、他方の側面部に雄嵌合部が、また各支持台の底部に雌嵌合部と雄嵌合部がそれぞれ奥行き方向に向かって設けられており、これら各支持台の雌嵌合部と雄嵌合部同士は、奥行き方向から互いに摺動可能に嵌め込みができるように構成し、且つ、これ等各雌嵌合部と各雄嵌合部には、相対応して係合縁がそれぞれ設けられていると共に、上記雌雄両嵌合部が嵌合した時の接合面部には、雄嵌合部側の接合面部においては中央に穿設されている係止口の両側から前後の各端縁に至る傾斜面部が該係止口の口径とほぼ同幅で次第に肉薄くした状態でそれぞれ設けられている一方、雌嵌合部側の接合面部においては上記係止口に係入できる膨出部が中央に設けられている構成である。
【０００７】
【作用】
支持台同士の連結は従来のものと同様に雌雄両嵌合部により果たされるものであるが、その連結時に雌側の嵌合部に穿設されている係止口に雄側の嵌合部に設けられている膨出部が係入し、その時点から両支持台の相対的移動は阻止されるため、ずれの起こる不具合は解消されて正しい連結状態に保持できる。なお、支持台はポリエチレン等の合成樹脂製であり、雌雄両嵌合部は適度の弾性を保有しているので、嵌合摺動時に膨出部が当接する傾斜面部の存在と相俟って無理なく嵌合できる。
【０００８】
【発明の実施の形態】
以下に、本発明の実施の形態を図１〜図４を参照しながら説明するが、図５に示す従来の支持台の構成部と同一乃至は均等な構成部については同一符号を用いてその構成部個々の説明を省略する。ポリエチレン等の合成樹脂製である支持台１上には半円断面形の円弧面部１１が設けられており、円弧面部１１の左右両上縁１１ａ，１１ｂは支持台１の左右側面部１ａ，１ｂとそれぞれ連続している。１２，１３は雌嵌合部５，７と雄嵌合部６，８がそれぞれ嵌合した時の両者の接合面部をそれぞれ示している。
【０００９】
雄嵌合部６，８の各接合面部１３においては、中央に穿設されている係止口１４の両側から前後の各端縁１３ａ，１３ｂに至る傾斜面部１５，１５が該係止口１４の口径とほぼ同幅で次第に肉薄くした状態でそれぞれ設けられている一方、雌嵌合部５，７側の各接合面部１２においては上記係止口１４に係入できる膨出部１６が中央に設けられている。なお、支持台１は、内部に奥行き方向に延びる状態で設けられているリブ壁１７とこれに交叉する状態で設けられている中間リブ壁１８により補強されている。
【００１０】
【発明の効果】
本発明は上記の如くであって、雄嵌合部側に設けられている中央より端縁に向かって肉薄く形成された傾斜面部の存在によって、雌雄両嵌合部の嵌め込み操作が容易にできることは勿論、支持台同士の連結は雌嵌合部側に設けられている膨出部の係止口への係入により正しく確定する。したがって、従来の支持台では必要とされていた連結位置の手直しや固定作業を全て省くことができ、作業員の労力を低減させて連結作業の促進化を図ることが可能になる等、その実用的価値は多大である。
【図面の簡単な説明】
【図１】本発明の実施の形態を示したものであって、正面側から見た斜視図である。
【図２】図１の側面図である。
【図３】図１のＡ−Ａ線断面図である。
【図４】図１のＢ−Ｂ線断面図である。
【図５】従来のケーブル布設管用支持台を示す正面図である。
【符号の説明】
１は支持台、１ａ，１ｂは左右側面部、１ｃは底部、５，７は雌嵌合部、６，８は雄嵌合部、５ａ，７ａ，６ａ，８ａは係合縁、１１は円弧面部、１２は雌嵌合部側の接合面部、１３は雄嵌合部側の接合面部、１３ａ，１３ｂは端縁、１４は係止口、１５は傾斜面部、１６は膨出部である。
【図１】
0004592222.tif 000002
【図２】
0004592222.tif 000003
【図３】
0004592222.tif 000004
【図４】
0004592222.tif 000005
【図５】
0004592222.tif 000006